(57)【特許請求の範囲】
【請求項１】
入射光を光電変換して画像信号を出力する撮像手段と、
前記撮像手段の撮影領域内の測光領域において前記画像信号から得られる露光量と、予め定めたプログラム線図に基づいて露出制御を行う露出制御手段と、
前記撮像手段の撮影領域内に予め設定された複数の焦点調節領域それぞれについて、各焦点調節領域における前記画像信号のコントラストを表すコントラスト評価値を算出する算出手段と、
前記算出されたコントラスト評価値に基づいて、焦点調節制御を行う焦点調節手段と、
前記複数の焦点調節領域の内、予め決められた輝度以上の輝度を示す画像信号を、予め決められた数以上含む高輝度の焦点調節領域を検出し、該検出した高輝度の焦点調節領域の数を計数するとともに、焦点調節領域に含まれる画像信号の輝度平均値が予め決められた輝度よりも低い低輝度の焦点調節領域を検出し、該検出した低輝度の焦点調節領域の数を計数する計数手段と、を有し、
前記露出制御手段は、前記計数された高輝度の焦点調節領域の数が予め決められた第１の閾値を超える場合に、前記撮像手段の露光量を減らすように焦点調節のための第１の露出制御を行い、前記計数された低輝度の焦点調節領域の数が予め決められた第２の閾値を超える場合に、前記撮像手段の露光量を増やすように焦点調節のための第２の露出制御を行うことを特徴とする撮像装置。
【請求項２】
前記第１の閾値は、前記複数の焦点調節領域の数の半数であることを特徴とする請求項１に記載の撮像装置。
【請求項３】
前記露出制御手段は、前記撮像手段の光電変換におけるリニアリティが保てる範囲で、前記露光量を減らすように前記第１の露出制御を行うことを特徴とする請求項１または２に記載の撮像装置。
【請求項４】
前記撮像装置は、前記撮像手段の撮影領域内に設定された前記複数の焦点調節領域のコントラスト評価値に基づいて焦点調節を行う多点ＡＦモードと、前記撮像手段の撮影領域内に設定された１つの焦点調節領域のコントラスト評価値に基づいて焦点調節を行う１点ＡＦモードとを有し、
前記１点ＡＦモードが設定された場合に、前記計数手段による動作を行わず、前記露出制御手段は、前記設定された１つの焦点調節領域の輝度が、予め決められた範囲となるように露出制御を行うことを特徴とする請求項１乃至３のいずれか１項に記載の撮像装置。
【請求項５】
入射光を光電変換して画像信号を出力する撮像手段と、
前記撮像手段の撮影領域内の測光領域において前記画像信号から得られる露光量と、予め定めたプログラム線図に基づいて露出制御を行う露出制御手段と、
前記撮像手段の撮影領域内に予め設定された複数の焦点調節領域それぞれについて、各焦点調節領域における前記画像信号のコントラストを表すコントラスト評価値を算出する算出手段と、
前記算出されたコントラスト評価値に基づいて、焦点調節制御を行う焦点調節手段と、
前記複数の焦点調節領域の内、予め決められた輝度以上の輝度を示す画像信号を、予め決められた数以上含む高輝度の焦点調節領域を検出し、該検出した高輝度の焦点調節領域の数を計数する計数手段と、を有し、
前記露出制御手段は、静止画を撮影する静止画モードでは、前記計数された高輝度の焦点調節領域の数が予め決められた閾値を超える場合に、前記撮像手段の露光量を減らすように焦点調節のための露出制御を行い、動画を撮影する動画モードでは、前記焦点調節のための露出制御を行わないことを特徴とする撮像装置。
【請求項６】
撮像手段が入射光を光電変換して画像信号を出力する撮像工程と、
前記撮像手段の撮影領域内の測光領域において前記画像信号から得られる露光量と、予め定めたプログラム線図に基づいて露出制御を行う露出制御工程と、
前記撮像手段の撮影領域内に予め設定された複数の焦点調節領域それぞれについて、各焦点調節領域における前記画像信号のコントラストを表すコントラスト評価値を算出する算出工程と、
前記算出されたコントラスト評価値に基づいて、焦点調節制御を行う焦点調節工程と、
前記複数の焦点調節領域の内、予め決められた輝度以上の輝度を示す画像信号を、予め決められた数以上含む高輝度の焦点調節領域を検出し、該検出した高輝度の焦点調節領域の数を計数するとともに、焦点調節領域に含まれる画像信号の輝度平均値が予め決められた輝度よりも低い低輝度の焦点調節領域を検出し、該検出した低輝度の焦点調節領域の数を計数する計数工程とを有し、
前記露出制御工程において前記計数された高輝度の焦点調節領域の数が予め決められた第１の閾値を超える場合に、前記撮像手段の露光量を減らすように焦点調節のための第１の露出制御を行い、前記計数された低輝度の焦点調節領域の数が予め決められた第２の閾値を超える場合に、前記撮像手段の露光量を増やすように焦点調節のための第２の露出制御を行う
ことを特徴とする撮像装置の制御方法。
【請求項７】
撮像手段が入射光を光電変換して画像信号を出力する撮像工程と、
前記撮像手段の撮影領域内の測光領域において前記画像信号から得られる露光量と、予め定めたプログラム線図に基づいて露出制御を行う露出制御工程と、
前記撮像手段の撮影領域内に予め設定された複数の焦点調節領域それぞれについて、各焦点調節領域における前記画像信号のコントラストを表すコントラスト評価値を算出する算出工程と、
前記算出されたコントラスト評価値に基づいて、焦点調節制御を行う焦点調節工程と、
前記複数の焦点調節領域の内、予め決められた輝度以上の輝度を示す画像信号を、予め決められた数以上含む高輝度の焦点調節領域を検出し、該検出した高輝度の焦点調節領域の数を計数する計数工程と、を有し、
前記露出制御工程において、静止画を撮影する静止画モードでは、前記計数された高輝度の焦点調節領域の数が予め決められた閾値を超える場合に、前記撮像手段の露光量を減らすように焦点調節のための露出制御を行い、動画を撮影する動画モードでは、前記焦点調節のための露出制御を行わないことを特徴とする撮像装置の制御方法。
【発明の詳細な説明】
【技術分野】
【０００１】
本発明は、撮像装置及びその制御方法に関し、更に詳しくは、撮像装置における自動焦点調節技術に関するものである。
【背景技術】
【０００２】
従来、カメラの自動焦点検出装置において用いられる焦点検出方法として、コントラストＡＦ方式が良く知られている。コントラストＡＦ方式では、撮像素子を用いて得られた画像信号から高周波成分を抽出して、焦点状態を示すコントラスト評価値を求め、このコントラスト評価値が最大になるようにフォーカスレンズの位置を制御する。
【０００３】
このようなコントラストＡＦ方式において、予め決められた焦点調節領域に合焦させるために、その焦点調節領域のコントラスト評価値を求める場合、その焦点調節領域に輝度飽和が発生していると、次のような問題があった。即ち、焦点位置で表れるはずのコントラスト評価値のピークが輝度飽和の影響で崩れてしまい、合焦精度が落ちてしまう。
【０００４】
そこで、焦点調節領域に輝度飽和が所定時間以上継続して発生していた場合、焦点調節領域を拡大する焦点検出装置が提案されている（例えば、特許文献１参照）。このような拡大制御を行うことにより、焦点位置で表れるはずのコントラスト評価値のピークが、輝度飽和の影響で崩れる悪影響を軽減することができるようになる。
【先行技術文献】
【特許文献】
【０００５】
【特許文献１】特開平１０−２１３８４０号公報
【発明の概要】
【発明が解決しようとする課題】
【０００６】
特許文献１では１つの焦点調節領域に対して焦点調節領域を拡大して焦点検出を行っていたが、複数の焦点調節領域で焦点検出を行う場合には焦点調節領域が隣接する構成をとりうる。このような構成では、焦点調節領域を拡大することができなくなってしまい、特許文献１の手法を用いることができない。
【０００７】
本発明は上記問題点を鑑みてなされたものであり、複数の焦点調節領域でコントラストＡＦ方式の焦点検出を行う際に、輝度飽和による焦点検出性能の低下を抑えることを目的とする。
【課題を解決するための手段】
【０００８】
上記目的を達成するために、本発明の撮像装置は、入射光を光電変換して画像信号を出力する撮像手段と、前記撮像手段の撮影領域内の測光領域において前記画像信号から得られる露光量と、予め定めたプログラム線図に基づいて露出制御を行う露出制御手段と、前記撮像手段の撮影領域内に予め設定された複数の焦点調節領域それぞれについて、各焦点調節領域における前記画像信号のコントラストを表すコントラスト評価値を算出する算出手段と、
前記算出されたコントラスト評価値に基づいて、焦点調節制御を行う焦点調節手段と、前記複数の焦点調節領域の内、予め決められた輝度以上の輝度を示す画像信号を、予め決められた数以上含む高輝度の焦点調節領域を検出し、該検出した高輝度の焦点調節領域の数を計数するとともに、焦点調節領域に含まれる画像信号の輝度平均値が予め決められた輝度よりも低い低輝度の焦点調節領域を検出し、該検出した低輝度の焦点調節領域の数を計数する計数手段と、を有し、前記露出制御手段は、前記計数された高輝度の焦点調節領域の数が予め決められた第１の閾値を超える場合に、前記撮像手段の露光量を減らすように焦点調節のための第１の露出制御を行い、前記計数された低輝度の焦点調節領域の数が予め決められた第２の閾値を超える場合に、前記撮像手段の露光量を増やすように焦点調節のための第２の露出制御を行う。
【発明の効果】
【０００９】
本発明によれば、複数の焦点調節領域でコントラストＡＦ方式の焦点検出を行う際に、輝度飽和による焦点検出性能の低下を抑えることができる。
【図面の簡単な説明】
【００１０】
【図１】本発明の実施の形態におけるデジタルカメラの構成を示すブロック図。
【図２】カメラＤＳＰの機能構成を示すブロック図。
【図３】１点ＡＦモードにおける焦点検出領域を示す模式図。
【図４】多点ＡＦモードにおける焦点検出領域を示す模式図。
【図５】実施の形態における焦点検出動作を示すフローチャート。
【発明を実施するための形態】
【００１１】
以下、添付図面を参照して本発明を実施するための最良の形態を詳細に説明する。
【００１２】
＜デジタルカメラの構成＞
図１は本実施例のデジタルカメラの構成を示すブロック図である。図１に示すように、デジタルカメラ１００は、ＣＰＵやＭＰＵ等によって構成され全体の制御を司るシステムコントローラ１２９と、光学系全体を制御するレンズコントローラ１０７とを有する。
【００１３】
システムコントローラ１２９とレンズコントローラ１０７間の通信では、被写体像を結像させるフォーカスレンズ１０１の駆動命令、停止命令、駆動量、要求駆動速度がシステムコントローラ１２９から送信される。また、さらに入射光線を調節する絞り１０２の開口制御の駆動量、駆動速度、及びレンズ側の各種データの送信要求がシステムコントローラ１２９から送信される。なお、図１には光学系を構成するレンズのうちフォーカスレンズ１０１のみを示しているが、この他、不図示の変倍レンズや固定レンズ等、複数のレンズが設けられている。
【００１４】
焦点調節制御の際、システムコントローラ１２９はレンズコントローラ１０７に対して、レンズ駆動方向や駆動量及び駆動速度についての指令を行う。レンズコントローラ１０７は、システムコントローラ１２９からのレンズ駆動命令を受信すると、レンズ駆動制御部１０４を通じてレンズ駆動機構１０３を制御する。レンズ駆動機構１０３は、ステッピングモータを駆動源として有し、フォーカスレンズ１０１を光軸に沿って駆動する。フォーカスレンズ１０１の焦点位置は、例えばレンズ駆動機構１０３を構成するモータの回転パルス数を検出するパルスエンコーダ等により構成されるレンズ位置情報検出部１０９を通じて、レンズコントローラ１０７に送られる。その出力は、レンズコントローラ１０７内の不図示のハードウェアカウンタに接続され、フォーカスレンズ１０１が駆動されると、位置情報がハード的にカウントされる。レンズコントローラ１０７がレンズ位置を読み取る際は、内部のハードウェアカウンタのレジスタにアクセスして、記憶されているカウンタ値を読み出す。
【００１５】
また、レンズコントローラ１０７は、システムコントローラ１２９からの絞り制御命令を受信すると、絞り駆動制御部１０６を介して、絞り１０２を駆動する絞り駆動機構１０５を制御し、受信した駆動量に従って絞り１０２を制御する。
【００１６】
レンズコントローラ１０７には、少なくとも一部が不揮発性記憶媒体で構成されるメモリ１０８が接続されている。メモリ１０８には、不図示の変倍レンズの焦点距離、絞り１０２の開放絞り値、設定可能な絞り駆動速度といった性能情報が記憶されている。
【００１７】
絞り１０２で調節された入射光線は、機械シャッタであるフォーカルプレーンシャッタ１１０の開口から光学フィルタ１１１を介して、撮像素子１１２に至る。光学フィルタ１１１は、赤外線をカットして可視光線を撮像素子１１２へ導く機能と、光学ローパスフィルタとしての機能とを有する。
【００１８】
フォーカルプレーンシャッタ１１０は、先幕及び後幕を備えて構成されており、入射光線の透過及び遮断を制御する。シャッタ制御部１１４は、システムコントローラ１２９からの信号に応じて、フォーカルプレーンシャッタ１１０の先幕及び後幕の走行駆動を制御する。フォーカルプレーンシャッタ１１０の先幕及び後幕は、バネを駆動源として有しており、シャッタ走行後、次の動作のためのバネチャージを要する。そのため、シャッタチャージ機構１１３がバネのチャージを行う。また、システムコントローラ１２９は、撮像素子１１２における所定の測光領域の出力から得られる露光量と、撮像素子１１２の電荷蓄積時間、露光感度及び絞り値との関係が定められたプログラム線図をＥＥＰＲＯＭ１２２に記憶している。
【００１９】
撮像素子１１２は、撮像系全体の駆動タイミングを決定しているタイミングジェネレータ１１８からの信号に基づく、画素ごとの水平駆動及び垂直駆動を制御するドライバ１１７からの出力によって制御される。そして、撮像素子１１２は、被写体像を光電変換して画像信号を生成して出力する。撮像素子１１２から出力された画像信号は、ＣＤＳ／ＡＧＣ回路１１５で増幅され、Ａ／Ｄコンバータ１１６でデジタル信号へ変換される。
【００２０】
Ａ／Ｄコンバータ１１６から出力されたデジタル信号は、出力先をシステムコントローラ１２９からの信号に基づいて選択するセレクタ１２１を介して、メモリコントローラ１２７へ出力される。メモリコントローラ１２７へ入力されたデジタル信号は、フレームメモリであるＤＲＡＭ１２８に全て転送される。デジタルカメラ１００は、ＤＲＡＭ１２８への転送結果をセレクタ１２１を介してビデオメモリ１２０へ定期的（毎フレーム）に転送することで、モニタ表示部１１９によりファインダ表示を行っている。
【００２１】
カメラＤＳＰ１２６には、システムコントローラ１２９のほか、タイミングジェネレータ１１８と、セレクタ１２１を通じてＡ／Ｄコンバータ１１６及びビデオメモリ１２０と、ワークメモリ１２５とが接続されている。
【００２２】
撮影時は、システムコントローラ１２９からの制御信号によって、１フレーム分のデジタル信号をＤＲＡＭ１２８から読み出し、カメラＤＳＰ１２６で画像処理を行ってから、一旦、ワークメモリ１２５に記憶される。そしてワークメモリ１２５のデータは、圧縮・伸張回路１２４で所定の圧縮フォーマットに基づいてデータ圧縮され、その結果が外部の不揮発性メモリ１２３に記録される。不揮発性メモリ１２３としては、通常、半導体メモリカードなどの着脱可能な記録媒体が用いられる。不揮発性メモリ１２３として、磁気ディスクや光ディスクをはじめとして任意の不揮発性記録媒体を用いても差し支えない。
【００２３】
システムコントローラ１２９と接続されている操作スイッチ１３１は、ユーザーがデジタルカメラ１００の各種設定項目に対する操作入力を行うための入力デバイス群であり、任意の入力デバイスが含まれる。表示部１３０は、液晶パネル、ＬＥＤ（発光ダイオード）、有機ＥＬパネルなどの表示素子であり、操作スイッチ１３１に含まれるスイッチ類により設定または選択されたデジタルカメラ１００の動作状態を表示する。
【００２４】
レリーズスイッチＳＷ１（１３２）は、内包する２段階ストロークのレリーズボタンが半押し（１段押下）された際にオンとなり、オンされることでシステムコントローラ１２９は測光や焦点検出などの撮影準備動作を開始する。レリーズスイッチＳＷ２（１３３）は、レリーズボタンが全押し（２段押下）された際にオンとなり、オンされることで静止画記録のための撮影動作（電荷蓄積及び電荷読み出し動作）を開始させる。
【００２５】
ライブビューモードスイッチ１３４は、モニタ表示部１１９でのファインダ表示（ライブビュー）のオン／オフを制御するためのスイッチである。動画スイッチ１３５は、動画を取得するために、電荷蓄積及び電荷読み出しを繰り返し行う動作を開始させるためのスイッチである。デジタルカメラ１００の電源投入時は、初期設定として静止画を記録する設定（以下、「静止画モード」と呼ぶ。）になっているが、動画スイッチ１３５が操作されることで、動画を記録する設定（以下、「動画モード」と呼ぶ。）に切り替わる。動画モード状態で動画スイッチ１３５が再び操作されると、静止画モードに設定が戻される。
【００２６】
次に、カメラＤＳＰ１２６の機能構成について、図２を用いて説明する。撮像素子１１２で生成された画像信号は、上述のようにＣＤＳ／ＡＧＣ回路１１５で増幅され、Ａ／Ｄコンバータ１１６でデジタル信号に変換され、セレクタ１２１を介してカメラＤＳＰ１２６へ入力される。カメラＤＳＰ１２６は、コントラストＡＦに用いられるコントラスト評価値の算出、顔の検出、撮像面での位相差ＡＦに用いられるデフォーカス量の算出を行う。
【００２７】
コントラスト評価値を算出するため、カメラＤＳＰ１２６に入力された画像信号は、まず、カメラＤＳＰ１２６内のＤＳＰ内部メモリ２０１を経て、焦点検出領域抽出ブロック２０２に入力される。焦点検出領域抽出ブロック２０２は、全画面分の画像信号から焦点検出領域とその近傍の画像を抽出して、コントラスト評価値算出ブロック２０３に供給する。１つの焦点検出領域の大きさは、画面全体の大きさを１として１／５〜１／１０程度であることが望ましい。なお、画面内における焦点検出領域の位置や大きさは、システムコントローラ１２９より焦点検出領域抽出ブロック２０２に対して設定できるよう構成される。コントラスト評価値算出ブロック２０３は、焦点検出領域とその近傍の画像に対してデジタルフィルタ演算処理を行って所定の周波数成分を抽出して、焦点検出領域のコントラスト評価値としてシステムコントローラ１２９に出力する。輝度飽和検出ブロック２０４は、焦点検出領域抽出ブロック２０２で抽出された焦点検出領域が、輝度飽和と判断する所定輝度以上の高輝度の画像信号を、所定画素数以上含んでいるか検出する。検出結果は輝度飽和情報としてシステムコントローラ１２９に出力される。
【００２８】
＜デジタルカメラの動作＞
次に、デジタルカメラ１００が有する動作モードについて説明する。本実施の形態においては、デジタルカメラ１００は焦点検出の動作モードを２種類備えているものとする。１つ目は、撮像素子１１２の撮影領域内に設けられた１つの焦点検出領域に対して焦点検出を行う「１点ＡＦモード」である。２つ目は、撮像素子１１２の撮影領域内に設けられた複数の焦点検出領域に対して所定の検出優先順位に基づいて焦点検出すべき領域を自動で選択して焦点検出を行う「多点ＡＦモード」である。焦点検出の動作モードは、操作スイッチ１３１を通じた操作入力により切り替えられる。以下、上記２種類のＡＦモードについて、図３及び図４を用いて説明する。
【００２９】
図３は、１点ＡＦモードにおける焦点検出領域を示す模式図である。図３において、撮影構図３０１の中に、主被写体である人物３０２、発光状態の街灯３０３、背景の樹木３０４、手前の生垣３０５、人物の顔付近に設定された焦点検出領域３０６が存在している。１点ＡＦモードでは、操作スイッチ１３１を通じた操作入力により、撮影構図３０１の範囲内で焦点検出領域３０６を移動することができる。図３においては、人物３０２の顔に焦点検出領域３０６が設定されている。デジタルカメラ１００の電源が入れられて、被写体像の撮像と撮像結果を表示部１３０に表示するライブビュー動作が始まった後、ＳＷ１（１３１）が押下されることで、焦点検出領域３０６に対して焦点検出が行われる。
【００３０】
図４は、多点ＡＦモードにおける焦点検出領域を示す模式図である。図４においても、図３と同様の撮影構図３０１を示しているが、焦点検出領域３０６の代わりに、水平６領域と垂直４領域の計２４領域で独立して焦点検出可能な多点焦点検出領域４０６が存在している。多点ＡＦモードは、１点ＡＦモードと異なり、操作入力により任意量だけの移動を行うことができないモードで、最終的に合焦する焦点検出領域はデジタルカメラ１００の焦点検出動作に任される。図４においては、人物３０２から生垣３０５の一部分が、複数の多点焦点検出領域４０６に含まれている。デジタルカメラ１００の電源が入れられて、被写体像の撮像と撮像結果を表示部１３０に表示するライブビュー動作が始まった後、ＳＷ１（１３１）が押下されることで、水平６領域と垂直４領域の計２４領域に対する多点ＡＦモードでの焦点検出が行われる。
【００３１】
次に、本実施の形態における焦点検出動作について図５のフローチャートを用いて説明する。なお、特に説明しない限り、以下に説明する制御はシステムコントローラ１２９により行われる。
【００３２】
まず、レリーズスイッチＳＷ１（１３２）が操作されて、焦点検出命令が発生することにより開始される。なお、デジタルカメラ１００は、予め電源が投入されていて、ライブビュー命令の発生に伴い、１秒間に３０乃至６０ｆｐｓ程度の撮像と表示が開始されるものとする。
【００３３】
はじめに、Ｓ１１にて、焦点検出モードが多点ＡＦモードであるか判定する。多点ＡＦモードであればＳ１２へ進み、１点ＡＦモードであればＳ１７へ進む。
【００３４】
Ｓ１２では、動画スイッチ１３５の操作により撮影モードが静止画モードであるかどうか判定する。撮影モードが静止画モードであれば、高輝度対策の露光制御が必要か判断する処理を行うため、Ｓ１３へ進む。動画モードであれば、動画記録の品質を優先して焦点検出のための露光制御を行わないことが望ましいため、高輝度対策の露光制御をバイパスして、Ｓ１６へ進む。
【００３５】
Ｓ１３では、図４に示す水平６領域と垂直４領域の計２４の多点焦点検出領域４０６のうち、予め決められた輝度以上の輝度を有する高輝度の画像信号を、予め決められた数以上含む高輝度の多点焦点検出領域を検出し、Ｓ１４へ進む。Ｓ１４では、Ｓ１３で検出した高輝度の多点焦点検出領域の数をカウントし、所定の閾値より大きいか判定する。高輝度の多点焦点検出領域の数が閾値を超える場合は、高輝度対策の露出制御を行わせるため、Ｓ１５へ進む。閾値以下の場合はＳ１６へ進む。ここで、所定の閾値を小さく設定すると、撮影構図上の面積の小さな高輝度領域が混入しただけで、後述するＳ１５の高輝度対策の露出制御が行われることになる。逆に、所定の閾値を大きく設定すると、撮影構図上で大規模に高輝度領域が混入したときだけ、後述するＳ１５の高輝度対策の露出制御が行われることになる。このため、所定の閾値は、例えば多点焦点検出領域の数の半数程度と定義することが望ましい。Ｓ１５では、所定の閾値より多くの多点焦点検出領域で高輝度が検出されているので、露光量をアンダー側に変更する。
【００３６】
ここで、露光制御の変更幅について説明する。多点ＡＦモードでは、さまざまな露光条件の被写体が焦点検出領域に混在する可能性がある。つまり、ある多点焦点検出領域には高輝度が混入しているものの、他の領域では露光量がアンダーという場合もある。このとき、混入した高輝度の画像信号にのみ着目して露光量をアンダーにしてしまうと、露光量が元々アンダーだった他の領域がさらにアンダーになってしまい、その領域での焦点検出の精度が落ちたり、焦点検出を行うことができなくなったりしてしまう。よって、高輝度の画像信号の混入による露光量のアンダー制御は、撮像素子１１２の光電変換におけるリニアリティが保てる範囲（いわゆるダイナミックレンジ）に抑えておくことが望ましい。具体的なデジタルカメラ１００の動作としては、Ｓ１５で露光制御をアンダー側に変更する際の露光変化量に上限を設けておき、所定の露光変化量を超えて露光制御をアンダー側に制御しないようにする。上述した高輝度対策の露出制御を行った後、Ｓ１６に進む。
【００３７】
Ｓ１６は、レンズ１０１のフォーカス位置を変更しながら、それぞれの多点焦点検出領域４０６でコントラスト評価を行い、最も至近側にコントラスト評価値のピークが位置する多点焦点検出領域（以下、「最至近合焦領域」と呼ぶ。）に対して合焦動作を行う。また、最至近合焦領域の合焦位置の被写界深度内に合焦位置を有する他の多点焦点検出領域（以下、「深度内合焦領域」と呼ぶ。）を検出する。合焦動作後、最至近合焦領域と深度内合焦領域に対して、表示部１３０に表示されているライブビュー表示に重畳するように合焦を示すグラフィックを表示する。
【００３８】
一方、多点ＡＦモードでは無い場合、即ち１点ＡＦモードの場合、Ｓ１７において、動画スイッチ１３５の操作により撮影モードが静止画モードになっているか判定される。撮影モードが静止画モードであれば、１点の焦点検出領域３０６に最適な露出制御を行うため、Ｓ１８へ進む。一方、動画モードであれば、上述したように動画記録の品質を優先して焦点検出のための露光制御を行わないことが望ましいため、焦点検出領域３０６に最適な露光制御をバイパスして、Ｓ１９へ進む。
【００３９】
Ｓ１８では、焦点検出領域３０６に適した露光量となるように露出制御を行った後、Ｓ１９へ進む。例えば、焦点検出領域３０６の輝度が、予め決められた輝度の範囲内となるように露出制御を行う。Ｓ１９では、フォーカスレンズ１０１のフォーカス位置を変更しながら、１点の焦点検出領域３０６でコントラスト評価を行い、合焦位置へフォーカスを制御する。
【００４０】
上記の通り本実施の形態によれば、コントラストＡＦ方式による焦点検出を行う際に、焦点調節領域に高輝度の画像信号が混入していても、焦点検出性能の低下を抑えることができるようになる。
【００４１】
＜変形例＞
上述した実施の形態では、Ｓ１３にて高輝度の画像信号の混入を検出し、Ｓ１４にて高輝度の画像信号が混入した多点焦点検出領域の数を計数し、所定の閾値より大きい場合に、Ｓ１５にて高輝度対策の露出制御を行っていた。
【００４２】
本変形例では、更に、低輝度状態の多点焦点検出領域の数を計数し、所定数以上であれば、Ｓ１５にて低輝度対策として露光量をオーバー側に制御する露出制御を追加で行う。ここでは、例えば、多点焦点検出領域それぞれの画像信号の輝度平均値を求め、求めた輝度平均値が予め決められた輝度よりも低い多点焦点検出領域を検出し、その数を計数する。このような構成にすることで、さらに低輝度状態での焦点検出性能の低下を抑えることができるようになる。
【図１】
0005932474.tif 000002
【図２】
0005932474.tif 000003
【図５】
0005932474.tif 000004
【図３】
0005932474.tif 000005
【図４】
0005932474.tif 000006